Podtech/llm-jp-corpus-v4-ja_patent huggingface dataset:
(57)【要約】【課題】  身障者用のトイレをつくったりスロープをつくったりという物理的、機械的な対応ではなく、ヒューマンケアによる対応をすることがこれからの日本のバリアフリー運動にとって重要である。【解決手段】  銀行や郵便局に身障者が来た時、来たことを知らせるために身障者用の駐車場や店の入口に身障者が連絡できるインターホンなどの設置をする。【選択図】図１
0003168901.tif 000002
【実用新案登録請求の範囲】
【請求項１】
銀行、信用金庫、信用組合、郵便局に限定。入口や駐車場に、身障者が来た時、来たことを知らせるインターホンなどを設置する。
【考案の詳細な説明】
【技術分野】
【０００１】  インターホンの設置、防犯カメラの設置、安全対策
【背景技術】
【０００２】  バリアフリーは大きな社会運動になりつつある。身障者対策のため、建物を変更して階段をなくしてスロープにしたりといった工事をしても、コストがかかる割には身障者がうまく使用できないという問題が生じている。ヨーロッパでは、車椅子に乗って街を移動している時、道で段差のあるところに来ると、人が集まってきて車椅子を持ち上げる。そして、何事もなく人は散ってゆく。そのようなヒューマンケアを銀行や郵便局で普及できないかと考えた。
【先行技術文献】
【０００３】
【非特許文献】
【非特許文献】  「新バリアフリー建築物ガイドラインＱ＆Ａ」、建築物等バリアフリー研究会著者、大成出版社発行、２００８年１２月発行
【考案の概要】
【０００４】  身障者が駐車場についた時や入口にいる時、インターホンで連絡をもらえれば行員や職員が迎えに行って身障者をケアする。そのために、入口や駐車場に身障者用のインターホンを付ける。もちろんカメラも付け、状況把握もできるようにする。
【考案が解決しようとする課題】
【０００５】  身障者に対して、建物の変更などの機械的、物理的対応ではなく、ヒューマンケアを軸とした対応により、より深い、親切な対応を行うための対策。
【課題を解決するための手段】
【０００６】  入口や身障者用の駐車場にインターホンなどの連絡システムを設置し、カメラも設置して状況把握をする。連絡を受けると、迎えに行ってヒューマンケアを行う。
【考案の効果】
【０００７】  ヒューマンケアによる身障者対応が可能になる。
【図面の簡単な説明】
【０００８】
【図１】正面図
【図２】図１の１１ａの詳細図
【図３】図１の１２ａの詳細図
【図４】銀行の入口付近の平面図
【符号の説明】図１の１１ａ、１２ａは案内表示、１３ａ、１４ａはインターホン。１１ａは縦が１５０ｍｍから２００ｍｍ、横が１００ｍｍから１５０ｍｍ、１２ａは縦が１２０ｍｍから１５０ｍｍ、横が１００ｍｍから１５０ｍｍ、１４ａは高さが１０００ｍｍである。図２の２１ａは点字である。
図４の平面図の４１ａは身障者用点字ブロックで、４２ａは図１のインターホンボードで、図１の１３ａ、１４ａのインターホンまで導かれる。インターホンで連絡をとると、行員もしくは職員が対応に出てくる。
【図１】
0003168901.tif 000003
【図２】
0003168901.tif 000004
【図３】
0003168901.tif 000005
【図４】
0003168901.tif 000006
【手続補正書】
【提出日】平成23年1月5日(2011.1.5)
【手続補正１】
【補正対象書類名】実用新案登録請求の範囲
【補正対象項目名】全文
【補正方法】変更
【補正の内容】
【実用新案登録請求の範囲】
【請求項１】
銀行、信用金庫、信用組合、郵便局において、入口や駐車場に身障者が来た時、身障者自らが来たことを知らせられるインターホン、呼出ボタンを取り付けたスタンド、パネル。
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
銀行、信用金庫、信用組合、郵便局の店頭入口において、身障者が来店した際、身障者自らが来たことを行員に知らせることができるようにするために、
１．インターホンの呼び出しボタン
２．インターホンの利用方法を説明する説明パネル
３．インターホンの存在を知らしめるために、呼び出しボタンと説明パネルを取り付け      られ、かつ、視認性を高めるパネル
からなる身障者用インターホンパネル。
(57)【要約】      （修正有）【課題】新しく設置するエアコンへ水中ポンプで容易に各、室外機の前面に設置、又は移動出来、気化熱と水冷を使って排出熱を低下させる霧噴霧パイプ台を提供する。【解決手段】雨天の雨を地下や庭の大型水容器へ溜め、必要な数だけ水中ポンプから多数のエアコン室外機への設置で移動も可能にした霧噴霧台を設置して、霧による気化熱、水冷で排出する熱を低下させることができる。【選択図】図１
0003168906.tif 000002
【実用新案登録請求の範囲】
【請求項１】
大型の水容器への水中ポンプを簡単に必要数入れてゴムホースでつなぎ、雨水を２階などの復数のエアコン室外機へつなぐことが出来る。
【請求項２】
移動可能な霧の噴霧機能の付いた網目状のパイプ台で室外機の前面に設置し、ファンからの風で霧が気化熱と水冷、余分に出た雨水も気化し、排出される熱を低下させる。
【考案の詳細な説明】
【技術分野】
【０００１】雨が降った雨水を（屋根など）１ケ所に集めて地下や庭に設置した大型の水容器に溜めておき、エアコン作動時のみ水容器の中の水中ポンプの使用でエコな雨水の大量使用を可能として途中でゴムホースを使うことをして２階などのちょっとしたスペースで使用出来る、多くのエアコン室外機への水の圧力による移動可能な霧の噴霧機能の付いた網目状のパイプ台で室外機前面への設置とメンテナンスの良さ、室外機のファンからの風で霧を噴霧して、気化熱と水冷と余分に出た水分を気化して拙出される熱を低下させて、地球温暖化現象を緩和させる。
【背景技術】
【０００２】エアコン使用での室外機からの熱風などで外温が上がり、それにともない他のエアコンの使用量も増えたエアコンが多く使われている。家庭では一室に一台の時代。
【先行技術文献】
【特許文献】
【０００３】
【特許文献１】
【特許文献２】
【非特許文献】
【０００４】
【非特許文献１】
【考案の概要】
【考案が解決しようとする課題】
【０００５】水源からの各エアコンの各方面への容易な設置【０００６】水資源の確保【０００７】多数のエアコンからの室外への熱の排出量【０００８】温暖化対策
【課題を解決するための手段】
【０００９】屋根という表面積のあるものから、大型の水容器への大量の雨水の確保、ゴムホースを使って地下や庭の大型水容器に水中ポンプを容易に複数エアコン台数使うことでエアコンの室外機へと容易に設置出来、移動出来る霧噴霧パイプ台の霧がファンの風にのって効果的に気化熱と水冷と余った霧は気化して室外機から拙出される熱を減らすメンテナンスも容易
【考案の効果】
【００１０】エアコンを増やすたびに容易に移動霧噴霧パイプ台も室外機の前面に取り付けられ、パイプ台の霧かファンの風にのって、気化熱と水冷と余った霧は気化して室外機から拙出される熱を減らす。メンテナンスも容易
【図面の簡単な説明】
【００１１】
【図１】雨水を１ケ所に集めて地下や庭に設置した大型水容器の設置と水容器の中の水中ポンプの復数台の容易な設置と室外機へのゴムホースの取り付け。
【図２】室外機と移動出来る霧噴霧パイプ台の取り付け
【図３】移動霧噴霧パイプ台
【図４】水中ポンプから、復数の室外機前面の移動霧噴霧パイプ台
【産業上の利用可能性】
【００１２】プールのある学校などの施設の水を水中ポンプによって雨水の代用で、エアコンの室外機からの熱を減らせる。
【図１】
0003168906.tif 000003
【図２】
0003168906.tif 000004
【図３】
0003168906.tif 000005
【図４】
0003168906.tif 000006
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
エアコンの室外機の前面に必要な数、設置しメンテナンス可能な一定間隔に配置した網目状のパイプ管の内側に水圧をかけた雨水を通し、少数の霧吹きの霧を発生させる金具を付けることでエアコン作動時に雨水を凝縮、噴霧させ、排気がパイプを通り抜ける際に霧とまざり合うことにより、排気温度を低下させる  メンテナンスや移動可能な、霧噴霧パイプ台において、前記パイプ管はアルミでできた内側は空洞の網目状の丸いパイプ管でつなげたものであって、各パイプ管の太さ１センチメートル、パイプの間隔４センチメートルで前記霧を発生させる金具部分の間隔４センチメートルとしてこの網目状のパイプ管自体をアルミの土台で支えて、立たせることを特徴とする前記メンテナンスや移動可能な、霧噴霧パイプ台。
【請求項２】
前記メンテナンスや移動可能な、霧噴霧パイプ台は、前記パイプ管にゴムホースをつなぐ取り付け部分をもっていて、水容器へ水中ポンプを必要数入れてゴムホースでつなぎ、パイプ管のゴムホース、取り付け部分とも、つなぐことで、パイプ管に通る雨水に水圧をかけ、前記パイプ管に少数の霧吹きの霧を発生させる金具部分より、雨水が放出されることを特徴とする請求項１記載のメンテナンスや移動可能な、霧噴霧パイプ台。
(57)【要約】      （修正有）【課題】着用時に、首筋部分に受ける太陽熱や紫外線の量を減らすクリップバイザーを提供する。【解決手段】クリップバイザー本体１の後ろ部分に、たれ２が取り付けられている。たれは左右２つずつ、合計４つのプラスチック製ボタン３によって、本体に取り付けられている。従って、もしたれが不要であると感じた時には、簡単にそれを取り外し、たれの無い普通のクリップバイザーとして着用する事も可能である。（たれ付き状態での）クリップバイザー着用時は、後ろのボタン４を外す事によって、ゴム５が伸びるので、５６〜５９ｃｍ位の頭サイズの人であれば、それぞれのサイズにフィットした状態で、被る事が出来る。【選択図】図１
0003168908.tif 000002
【実用新案登録請求の範囲】
【請求項１】
クリップを内蔵したＣ字型の本体を有するクリップバイザーにおいて、布製のたれを取り付けたもの。
【請求項２】
本体とたれを繋ぐ止め具がボタンであり、かつ、たれの後ろ中央部分にゴムを内胞し、さらにその上中央部にボタンを取り付けた、請求項１に記載のクリップバイザー。
【考案の詳細な説明】
【技術分野】
【０００１】本考案は、日焼け防止を目的とする為に、布製のたれを後ろ部分に取り付けた、クリップバイザーに関するものである。
【背景技術】
【０００２】クリップバイザーは、顔を紫外線から守る事に関しては長けているものであるが、首筋を太陽熱や紫外線から守る事が難しいという欠点があった。
クリップバイザーは、夏場に着用される事が多い帽子であることから、顔だけでなく首筋も太陽熱や紫外線から守る事が出来る物を作れないかと考えた。
【考案の開示】
【考案が解決しようとする課題】
【０００３】解決しようとする課題は、クリップバイザー着用時に、首筋部分に受ける太陽熱や紫外線の量を減らすこと、である。
【課題を解決するための手段】
【０００４】課題を解決するための手段として、クリップバイザー後ろ部分に、布製のたれを取り付けることを考案した。
【考案の効果】
【０００５】考案の効果としては、本製品を着用すれば、顔だけなく首筋も、太陽熱や紫外線を直接浴びにくくなる、と考えられる。
【考案を実葹するための最良の形熊】
【０００６】考案を実施するための最良の形態は、本体の後ろ部分にたれを取り付けた状態にある事だと考えられる。
【実施例】
【０００７】以下の添付図（図１）に従って、実施例を説明する。
クリップバイザー本体（▲１▼）の後ろ部分に、たれ（▲２▼）は取り付けられている。
たれは左右２つずつ、合計４つのプラスチック製ボタン（▲３▼）によって、本体に取り付けられている。（但し弊社は、たれは初めから本体に取り付けられた状態で販売する）
従って、もしたれが不要であると感じた時には、簡単にそれを取り外し、たれの無い普通のクリップバイザーとして着用する事も可能である。
（たれ付き状態での）クリップバイザー着用時は、後ろのボタン（▲４▼）を外す事によって、ゴム（▲５▼）が伸びるので、５６〜５９ｃｍ位の頭サイズの人であれば、それぞれのサイズにフィットした状態で、被る事が出来ると思われる。
（たれ付き状態での）クリップバイザーを被らない時には、後ろのボタン（▲４▼）を止めておいた方が、ゴム（▲５▼）部分の収まりが良くなり、見た目も良い。（図１の絵の状態）
【図面の簡単な説明】
【０００８】
【図１】本考案タレバイザーの実葹例を、示す後方から見た図である。
【符号の説明】
【０００９】１  クリップバイザー本体
２  たれ
３  ボタン（本体とたれを繋ぐボタン）
４  ボタン（被着用時に、後ろで止めるボタン）
５  ゴム（たれ生地に内胞）
【図１】
0003168908.tif 000003
【手続補正書】
【提出日】平成23年3月19日(2011.3.19)
【手続補正１】
【補正対象書類名】実用新案登録請求の範囲
【補正対象項目名】請求項１
【補正方法】変更
【補正の内容】
【請求項１】
クリップを内蔵したＣ字型の本体を有するクリップバイザーにおいて、前記Ｃ字型の本体の後ろ部分に、布製のたれを取り付けてなるクリップバイザー。
(57)【要約】      （修正有）【課題】ペーストが充填されたバレルに、空気を残すことなくピストンを挿入するバレル取付具を提供する。【解決手段】ペースト等を充填し出口より吐出するバレルと、バレル内径より若干小径のロッドと、ロッドに取り付けられた摺動ガイドと、摺動ガイドの端面に装着したシールと、バレル内にロッドを挿入することで摺動ガイドの端面にバレルの端面を面着させた後固定する固定機構から構成されている。【選択図】図１
0003168905.tif 000002
【実用新案登録請求の範囲】
【請求項１】
バレル内径より若干小径のロッドと、このロッドの摺動ガイドと、この摺動ガイドの端面にシールを装着し、この面にバレル端面を面着さして固定するバレル取付け具。
【考案の詳細な説明】
【技術分野】
【０１】銀ペースト、半田ペースト、樹脂ペースト等が充填された状態のバレルに空気を残すことなくピストンを挿入するバレル取付け具に関する。
【背景技術】
【０２】液体の容積計量吐出装置に於いてシリンジ内に空気、気泡を残さないことが重要である。銀ペースト、半田ペースト、樹脂ペースト等が充填された状態のバレルを吐出装置のシリンジとしてそのまま装着使用するために、実願Ｓ６３−１４８３５２に於いてはバレルに逃がし部を設けることで問題解決を計っているがバレルが広く流通していないことや液量が少ない場合に適応できない問題があり、実願Ｓ６３−６５９３０に於いては構造が複雑なことや操作が面倒等の問題があり現状では有効な手段が採用されていない。このためバレルに充填されたペースト類の吐出はエア圧送式のディスペンサーを採用することが多い。しかしエア圧送式のディスペンサーは粘度変化やペースト量の変化で吐出量が変動し高精度の吐出には問題がある。【０３】容積計量式のディスペンサーは高精度吐出に適するが、バレル内に空気を残さずに装着することが重要である。【０４】本考案ではバレル内径より若干小径のロッドと、このロッドの摺動ガイドと、この摺動ガイドの端面にシールを装着し、この面にバレル端面を面着さして固定するバレル取付け具を提供する。ペーストが充填されたバレルの出口を密栓し、開放端からロッドを挿入すると、バレル内径とロッド外径の隙間から空気は流れ出る。なお挿入を続けるとペーストも流れ出るがバレル端面からペーストが出たときロッドの摺動ガイド端面をバレル端面に接触さし、固定具でバレル端面と摺動ガイドを面着固定する。シールはロッド外周とバレル端面の両者を同時に密封しバレル内部の気密を保つ。バレルの出口の密栓をとりノズルを装着する。ロッドをバレル内に突き出すとロッド断面積×突き出し量の容積のペーストがノズルより吐出する。
【実施例１】
【０５】バレル取付け具１は、バレル２と、バレル２の内径より若干小径のロッド３と、ロッド３の摺動ガイド４と、摺動ガイド４のフランジ外周の螺子５と螺合しバレル２の挿入穴７を開口したナット６と、摺動ガイド４の左端面に設置したＯリング８とで構成する。
【作用】
【０６】６分目程度にペーストの充填されたバレル２の出口９を密栓し開放端１０からロッド３を挿入すると、バレル内径とロッド外径の隙間１１からバレル２内の空気は流れ出る。なお挿入を続けるとペーストも流れ出るがバレル開放端１０からペーストが出たときロッド３の摺動ガイド４を移動さしバレル端面１２と摺動ガイド端面１３を接触さし、ナット６を締めるとバレル端面１２と摺動ガイド端面１３は面着固定する。Ｏリング８はロッド３外周とバレル端面１２の両者を同時に密封しバレル２内部の気密を保つ。バレル２の出口９の密栓をとりノズルを装着する。ロッド３をバレル２内に突き出すとロッド断面積×突き出し量の容積のペーストがノズルより吐出する。バレル取付け具１はロッド３を所要量移動さす駆動装置に取り付ける。
【考案の効果】
【０７】ロッド３をバレル２内に挿入する動作のみでバレル２内の空気を追い出せるので操作が簡単である。
【０８】ペースト吐出後のバレル２は通常そのまま廃棄されるので、ロッド３とＯリング８と摺動ガイド端面１３を清掃するのみで保守が容易。
【０９】隙間１１は０．１ｍｍ〜０．５ｍｍ程度でバレル２の内径がテーパーになっていても適応が容易。隙間１１に残るペーストは無駄になるが量が少ない。ペースト以外の液体にも容易に適応できる。
【１０】実施例１では螺子５とナット６で固定機構を構成しているが、素早い操作のために捩れカム溝とピンの契合による機構等への変更が容易。
【図面の簡単な説明】
【１１】
【図１】  実施例１の断面図
【符号の説明】
【１２】１：バレル取付け具    ２：バレル    ３：ロッド    ４：摺動ガイド
６：ナット    ８：Ｏリング
【図１】
0003168905.tif 000003
【手続補正書】
【提出日】平成23年4月11日(2011.4.11)
【手続補正１】
【補正対象書類名】実用新案登録請求の範囲
【補正対象項目名】全文
【補正方法】変更
【補正の内容】
【実用新案登録請求の範囲】
【請求項１】
ペースト等を充填し出口より吐出するバレルと、バレル内径より若干小径のロッドと、ロッドに取り付けられた摺動ガイドと、摺動ガイドの端面に装着したシールと、バレル内にロッドを挿入することで摺動ガイドの端面にバレルの端面を面着させた後固定する固定機構から構成されていることを特徴とするバレル取付け具。
(57)【要約】      （修正有）【課題】照明装置として実際の使用に際し使い勝手が良く、且つ放熱効果の優れた有機ＥＬユニットカバーを提供する。【解決手段】パネル状の有機ＥＬ本体を取付けたフレームと、該フレームを覆うカバー本体と、有機ＥＬ本体とカバー本体の間に挟みこむ熱伝導シートよりなり、フレームとカバー本体を固定した有機ＥＬユニットカバーである。【選択図】図１
0003168991.tif 000002
【実用新案登録請求の範囲】
【請求項１】
パネル状の有機ＥＬ本体を取付けたフレームと、フレームを覆うカバー本体と、有機ＥＬ本体とカバー本体の間に挟みこむ熱伝導シートよりなり、フレームとカバー本体を固定した有機ＥＬユニットカバー。
【考案の詳細な説明】
【技術分野】
【０００１】
本考案は照明用の有機ＥＬとカバーを組み合わせた有機ＥＬユニットカバーに関するものである。
【背景技術】
【０００２】
照明用の有機ＥＬを実際に使用するには、有機ＥＬ自体がパネル状になっているため従来照明用白熱電球等のソケット等を用いることができず、一方有機ＥＬは熱を発生するために放熱する必要がある。そのため照明装置として簡単に使用できるユニット化された有機ＥＬ装置の開発が望まれている。
【考案の開示】
【考案が解決しようとする課題】
【０００３】
そこで本考案は、照明装置として実際の使用に際し使い勝手が良く、且つ放熱効果の優れた有機ＥＬユニットカバーを提供しようとするものである。
【課題を解決するための手段】
【０００４】
パネル状の有機ＥＬ本体を取付けたフレームと、フレームを覆うカバー本体と、有機ＥＬ本体とカバー本体の間に挟みこむ熱伝導シートよりなり、フレームとカバー本体を固定した有機ＥＬユニットカバーである。
【考案の効果】
【０００５】
本考案の効果として、照明装置として電源に簡単に接続でき、有機ＥＬ本体が放つ熱は熱伝導シートを伝ってカバー本体から放熱され有機ＥＬの劣化を防ぐことができる。
【図面の簡単な説明】
【０００６】
【図１】本考案に係る有機ＥＬユニットカバーの分解・組立説明図
【図２】本案有機ＥＬユニットカバーの平面説明図。
【実施例】
【０００７】
パネル状の有機ＥＬ本体１を取付けたフレーム２と、該フレーム２を覆うカバー本体３と、有機ＥＬ本体１とカバー本体３の間に挟みこむ熱伝導シート４よりなり、フレーム２とカバー本体３の両側をビス５，５により固定したものである。熱伝導シート４は有機ＥＬ本体の裏面に密着するように挟み込む。図中６は点灯回路装置でフレーム２に固定され、図示しないハーネスをカバー本体３に設けた挿入穴７に差込み点灯回路装置６と接続自在となっている。８はカバー本体３の長辺側に設けた取付片部で、９は放熱穴である。
【０００８】
組立に際しては、先ず有機ＥＬ本体１を、図１においてフレーム２の下面側に固定し、有機ＥＬ本体１の裏側に熱伝導シート４を密着させ、点灯回路装置６をフレーム２に固定し、全体にカバー本体３を被せ、カバー本体３とフレーム２をビス５，５により固定する。勿論有機ＥＬ１とフレーム２、或はカバー本体３とフレーム２の固定手段としてはビス止め、接着などの汎用手段でよい。
実際の使用に際しては取付片部８を図示しない取付枠などに固定し、ハーネスを挿入穴７に差込み点灯回路装置６と接続し、有機ＥＬ本体１を点滅させる。
【０００９】
本案は以上のような構造となっているので、組立作業も簡単にでき、実際の取付け作業においては単にこの有機ＥＬユニットカバーを別途取付枠などに取付ければよく、しかも有機ＥＬ本体の発する熱は熱伝導シートを伝ってカバー本体３の外に放熱され、有機ＥＬ本体の劣化を防ぐことができる。
【符号の説明】
【００１０】
１：有機ＥＬ本体
２：フレーム
３：カバー本体
４：熱伝導シート
５：ビス
６：点灯回路装置
７：挿入穴
８：取付片部
９：放熱穴
【図１】
0003168991.tif 000003
【図２】
0003168991.tif 000004
(57)【要約】【課題】  広範囲の布地に対して、クロス．ステッチ刺繍が可能な、熱転写用符点方眼転写紙を提供する。【解決手段】  方眼で、正方形の縦線と横線の交差する点のみを必要とする。即ち、針先で突いただけの点の方眼である。此の点の名称を一応符点とす。符点の用途は手芸用として、クロス．ステッチ刺繍に用いる。従来のクロス．ステッチは、規則正しいことの美しさ故、縦糸、横糸の織目がはっきりした布地を利用し、その織目に出来る正方形に、クロス刺繍を施す手法であり、その為にそれ用の布を使用せざる得ない。従って、布に対して万能ではない。そこで広範囲の布に置いても、クロス．ステッチ刺繍が万能であることを目的とし、符点の方眼を転写紙にプリントアウトし、これをアイロンで目的の布地に熱転写する。【選択図】図１
0003168749.tif 000002
【実用新案登録請求の範囲】
【請求項１】
目的の布地に熱転写する事を目的とした方眼であって、方眼の縦線と横線の交差点である点を符点と称し作成し、その符点を必要とする箇所のみに、クロス．ステッチ刺繍する事を特徴とした、熱転写用符点方眼転写紙。
【考案の詳細な説明】
【技術分野】
【０００１】  本考案は、従来では特定の布地にしか出来ないクロス．ステッチ刺繍を、思いのまま、どの様な布地にでも簡単に、刺繍可能に関するものである。
【背景技術】
【０００２】  クロス．ステッチとは、規則正しいことの美しさ故、縦、横の織目がはっきりとし、しかも、正方形の形がとれるものが理想とされ、従って、特定された布地にしか出来ない。例えば、厚地布ではベンガクロス、中厚布ではジャバクロス、薄地布では平織麻地、等々。
【考案の概要】
【考案が解決しようとす課題】
【０００３】  従来の技術では、自分の手元にある衣類、持ち物には、クロス．ステッチ刺繍は、困難である。
【０００４】  例えば、履きつかれたジーンズの、丈夫なところを何枚か四角に切り取り（１５ｃｍ角）、又、他の古着を切り取り（１５ｃｍ角）、それぞれにクロス．ステッチを刺す。溜まったものを接ぎ合わせば炬燵掛け、座布団、パッチワーク等々、豪華なものに変身する。
【０００５】  そこで、本考案の問題点は、符点の方眼を目的の布に写す事に依り、解決すると考え、且つ、用途も広がる事の符点の方眼転写紙を、提供しようとするものである。従来のものを調べたが、該当するものはなかった。
【課題を解決するための手段】
【０００６】  上記の課題を達成する為に本考案は、方眼用紙の、線の交わり部分の必要符点のみ、転写紙プリントアウトし、それをアイロンで目的の布に、熱転写する事を、提供するものである。
【０００７】  又、符点と符点との間隔は、２．５ｍｍを最小とし、０．５ｍｍ増しに１０ｍｍを最大とし、必要あればそれ以上も可能である。特に限定はしない。
【０００８】  又、符点をプリントアウトし熱転写する他に、符点を糊状のもので構成し、熱転写する手前で不必要な符点は、針先で取り除く事が出来るものも、望ましいと考える。
【考案の効果】
【０００９】  本考案は、上述の通り構成されており、次に記載する効果あり。即ち、従来は定められた布地にしか、クロス．ステッチ刺繍は出来ず、市販布地に限られていた。
【００１０】  しかし本考案に依り、符点の方眼を熱転写する事で、効率的に分野広く、クロス．ステッチ刺繍が出来るようになる。
【００１１】  最も簡単なのは、図案通り、しかも色分けもしたクロスそのものを、プリントアウトし、目的の布地に熱転写すれば良い。その通りの色糸を使い分け、クロス．ステッチをすれば良いのである。しかしそれは、市販される図案に制限あり。
【００１２】  クロス．ステッチする糸について、普通の布地は平面状である為、ストレートな刺繍糸より、或る程度弾力のある糸が好ましく思う。クロス．ステッチの膨らみを保つ為、考案の必要あり。参考としては、毛糸で極々細、極細、合細、中細あり。金糸、銀糸、扁平レーヨン、等々。布地に依り使い分ける必要がある。
【００１３】  以上、クロスするだけの刺繍であるから、子供からお年寄りまで男女問わずの手仕事で、頭、手先の運動として、大いに発展性あり、この上ない考案である。
【図面の簡単な説明】
【００１４】
【図１】  符点を示す図。
【図２】  必要とする符点をクロス．ステッチした状態図。
【考案を実施するための形態】
【００１５】  考案の実施の形態について、図面を参照して説明する。図１は、縦線、横線の方眼の形態で、その交わりの点が重要、且つ必要故にその点を符点と称号する。従って、符点のみをプリントアウトし、目的の布地に熱転写するものとす。
【００１６】  図２は、図１の符点と符点をクロスで刺し目的の布地に蝶を刺繍したものである。符号２は、熱転写する場合、不必要な符点を少なくする為、図案に一番近い所を切り取り、熱転写する。又、プリントアウト用紙にあらかじめ図案のクロスを描き、図案の最小限の枠を定め、その時点で不必要な符点を消す事が可能であり、それを目的の布地に熱転写する。
【００１７】  符号について説明する。符号１は、縦、横線の交差の点のみを、プリントアウトした熱転写用符点方眼転写紙である。符号２は、縦、横線の交差の点で、仮に符点と名称する。符号３は、符点と符点との間隔であり、間隔の長さにかかわらず全て正方形である。符号４は、熱転写する目的の布である。符号５は、熱転写する前に、図案において不必要な符点を消す範囲である。符号６は、図案に必要とする符点と符点とをクロスで刺し、図案を形成したものであり、この時刺繍用色糸を使いアクセントをつける。符号７、８はクロス．ステッチが不可能な部分であり、フランス刺繍で刺したものである。
【符号の説明】
【００１８】１  符点のみの転写紙
２  符点
３  符点と符点との間隔
４  熱転写した布
５  図案外の消す符点
６  クロス．ステッチで刺した蝶の完成図
７  アウトライン．ステッチ
８  サテン．ステッチ
【図１】
0003168749.tif 000003
【図２】
0003168749.tif 000004
【手続補正書】
【提出日】平成23年3月29日(2011.3.29)
【手続補正１】
【補正対象書類名】実用新案登録請求の範囲
【補正対象項目名】全文
【補正方法】変更
【補正の内容】
【実用新案登録請求の範囲】
【請求項１】
目的の布地に熱転写する事を目的とし、方眼の縦線と横線の交差点である符点が描画されている事を特徴とした、熱転写用符点方眼転写紙。
(57)【要約】      （修正有）【課題】メビウスの鎖として知られているものは環が二つのもの。鎖は環の数を増やす事によって用途が広がるので環の数を増やせるようにしたメビウスの連鎖を提供する。【解決手段】縦帯をＮ本並べてメビウスの鎖を作ると２連の鎖がＮ個出来る。鎖を連鎖させる為には縦帯と縦帯の間を横帯によって繋ぐ事で可能になる。鎖の環の数を自在に制御する事が可能になる。【選択図】図１
0003168746.tif 000002
【実用新案登録請求の範囲】
【請求項１】
縦帯によって作れる２個の環、隣接する縦帯の環のそれぞれ１個を合わせて環にする為の横帯をもうけたもの。
【考案の詳細な説明】
【技術分野】
【００１】メビウスの鎖に関するものです。
【背景技術】
【００２】  メビウスの鎖は手品にも使われている程、変化に富んだものです。
【考案の概要】
【考案が解決しようとする課題】
【００３】  メビウスの鎖として知られているものは環が二つのものです、鎖は環の数を増やす事によって用途が広がるので環の数を増やせるようにすること。
【課題を解決するための手段】
【００４】縦帯をＮ本並べてメビウスの鎖を作ると２連の鎖がＮ個出来るだけです、鎖を連鎖させる為には縦帯と縦帯の間を横帯によって繋ぐ事で可能になります、具体例として６連の鎖を図で説明します、図［１］の縦帯イ、ロ、ハ、ニ、ホ、そして縦帯と縦帯を連結する横帯（ａ）、（ｂ）、（ｃ）、（ｄ）、図［２］で示す縦帯、横帯の中心に引いた点線、縦帯を３６０度捩じって縦帯の天地を接合した後、点線に沿って切れば６連の鎖を作ることが出来ます。
【考案の効果】
【００５】鎖の環の数を自在に制御する事が可能になります。
【図面の簡単な説明】
【００６】
【図１】縦帯と横帯を示す図です。
【図２】縦帯の中心と縦帯の中心まで伸ばした横帯の中心を示す図です。
【符号の説明】
【００７】イ、ロ、ハ、ニ、ホ、                縦帯
（ａ）、（ｂ）、（ｃ）、（ｄ）、    横帯
【図１】
0003168746.tif 000003
【図２】
0003168746.tif 000004
【手続補正書】
【提出日】平成23年3月31日(2011.3.31)
【手続補正１】
【補正対象書類名】実用新案登録請求の範囲
【補正対象項目名】全文
【補正方法】変更
【補正の内容】
【実用新案登録請求の範囲】
【請求項１】
複数本の縦帯と、複数本の縦帯を横方向に連結する横帯とからなる、帯の組み合わせ。
(57)【要約】      （修正有）【課題】紙パックの吸飲口へさや管に内包したストローの出口をシールで密閉し、直接接着固定することにより、高齢者や目の不自由な人でも簡単にかつ衛生的に吸飲できるストローを提供する。【解決手段】紙パック３用ストロー１を内包したさや管２は、ビニールの筒状で一端は閉じ、もう一端はストローの出口でシール５と接合密閉されている。シールの裏面は接着剤が塗布され、飲料水の吸飲口に接着固定する。さや管のシールの接合部位は、紙パックの吸飲口がある上面の角隅、また吸飲口が側面の場合は上部の角隅に設ける。さや管の置き方は、吸飲口の紙パック上面の場合は横置きに、吸飲口が側面の場合は縦置きに設置する。飲料水を吸飲する時は、さや管を起立し内包しているストロー１を指６で押し込んでシール５を貫通し飲料水７を吸飲する。【選択図】図３
0003168747.tif 000002
【実用新案登録請求の範囲】
【請求項１】
紙パック以外の飲料水容器でも吸飲口にストローを内包し、出口をシールで密閉したさや管を直接接着固定できることを特徴とした紙パック用ストロー。
【請求項２】
紙パックの上面及び側面の吸飲口にストローを、内包し出口をシールで密閉したさや管を横置き及び縦置き等で直接接着固定することを特徴とする請求項  １  記載の紙パック用ストロー。
【考案の詳細な説明】
【技術分野】
【０００１】  本考案は、さや管（ビニール）にストローを内包して出口をシールで密閉し紙パックの吸飲口に直接接着固定することに関するものです。
【背景技術】
【０００２】  従来、紙パックの側面にさや管（ビニール）に内包されたストローが貼付されていた。飲料水を吸飲する時はこれを取り外し、吸飲口のシールをストローで貫通していた。
【考案の開示】
【考案が解決しよとする課題】
【０００３】  そのために次のような問題点があった。
（イ）紙パックの側面に貼付されたさや管よりストローを取出すのに手数がかかった。
（ロ）取り出したストローで紙パックの吸飲口シールを貫通するのに高齢者や目の不自由者には不便であった。
本孝案は、以上の問題点を解決するためになされたものである。
【課題を解決するための手段】
【０００４】  ストローをさや管に内包し出口をシールで密閉したのを紙パックの吸飲口に直接接着固定する。飲料水を吸飲する時はストローでシールを貫通する。以上を特徴とする吸飲口に直接設置されさや管に内包されたストローでシールを貫通し吸飲する。
【考案の効果】
【０００５】  紙パックの側面に貼付したストローをさや管より取り出す手数がなくなる。また紙パックの吸飲口へストローでシールを貫通し、飲料水を吸飲するのに簡単で早くなり且つ衛生的である。
【図面の簡単な説明】
【０００６】
【図１】本考案の斜視図
【図２】本考案の使用前の状態を示す斜視図
【図３】本考案の使用状態を示す斜視図
【図４】本考案の他の実施例を示す斜視図
【図５】請求項２記載の実施例を示す斜視図
【考案を実施するための形態】
【０００７】  以下、本考案の実施の形態を説明する。
（イ）紙パック（３）の吸飲口（４）をさや管（ビニール）（２）に内包されたストロー（１）の出口にシール（５）で接着固定する。
（ロ）吸飲口（４）に接着固定されたさや管（２）を横置に紙パック（３）に設置する。
本案は以上のような構造でこれを使用する時は紙パック（３）に設置されているさや管（２）を起立して、そのままの状態から指（６）で上から押し込み、シール（５）をストロー（１）で貫通し飲料水（７）を吸飲する。
【０００８】  また図１に示すようにさや管（２）にストロー（１）を内包し、出口をシール（５）で密閉するので衛生的である。
【符号の説明】
【０００９】１  ストロー
２  さや管（ビニール）
３  紙パック
４  紙パックの吸飲口
５  シール
６  指
７  飲料水
【図１】
0003168747.tif 000003
【図２】
0003168747.tif 000004
【図３】
0003168747.tif 000005
【図４】
0003168747.tif 000006
【図５】
0003168747.tif 000007
【手続補正書】
【提出日】平成23年3月31日(2011.3.31)
【手続補正１】
【補正対象書類名】実用新案登録請求の範囲
【補正対象項目名】全文
【補正方法】変更
【補正の内容】
【実用新案登録請求の範囲】
【請求項１】
紙パック用ストローを内包したさや管は、ビニールの筒状で一端は閉じ、もう一端はストローの出口でシールと接合密閉されている、シールの裏面は接着剤が塗布され、飲料水の吸飲口に接着固定され、さや管のシールの接合部位は、ストローを内包した状態のさや管を屈曲が出来、紙パックの吸飲口は上面の角隅、または側面の場合は上部の角隅に設け、さや管の置き方は、吸飲口の紙パック上面の場合は横置きに、吸飲口が側面の場合は縦置きに設置する、飲料水を吸飲する時は、さや管を起立し内包しているストローを指で押し込んでシールを貫通し飲料水を吸飲することを特徴とする紙パック用ストロー。
(57)【要約】      （修正有）【課題】点滴の終了を自動で検知し、ナースコールシステムを通してナースセンターに通知する点滴終了情報自動通知装置を提供する。【解決手段】輸液チューブ端にあるガラス検出管３の外部に、発信器付き位相差式センサー４をクランプで取り付け、ガラス管内の液の有無を検知する。ガラス管内の液がなくなった時、パルスを無線で発信する。ベッド近くの壁にあるナースコールスイッチ５に無線受信器を設置し、その信号を受信したら、スイッチをＯＮにさせて、既存ナースコールシステムを通してナースセンターに通知する。【選択図】図１
0003168733.tif 000002
【実用新案登録請求の範囲】
【請求項１】
点滴終了をセンサーで検知して無線発信し、ナースコール回路にてナースセンターに自動通知装置
【考案の詳細な説明】
【技術分野】
【０００１】ナースコールシステムを使って、点滴の終了を自動でナースセンターに通知する考案である。
【背景技術】
【０００２】従来は、点滴の終了を調べるために、看護師が巡回を行って監視している。
また、患者自身も点滴終了に気付いた時、ナースコールボタンを押して連絡する。
【考案の概要】
【考案が解決しようとする課題】
【０００４】従来の方法では、看護師は、点滴終了の時点を確実に把握するため、巡回したりタイマーをセットしておいたりするなどの手間をかける必要がある。また、終了直後に処置を行えないために、患者も神経を使う。
本考案は、点滴終了を自動監視し、既存ナースコールシステムを利用して、点滴終了時に自動でナースコールセンターに通知するものである。
【課題を解決するための手段】
【０００５】輸液チューブ端にあるガラス検出管の外部に、発信器付き位相差式センサーをクランプで取り付け、ガラス管内の液の有無を検知する。ガラス管内の液がなくなった時、パルスを無線で発信する。ベッド近くの壁にあるナースコールスイッチに無線受信器を設置し、その信号を受信したら、スイッチをＯＮにさせて、既存ナースコールシステムを通してナースセンターに通知する。
【考案の効果】
【０００６】既存ナースコールシステムを利用して、点滴終了を自動通知する。看護師の作業量を軽減でき、点滴の安全性の向上にもつながる。
無線センサーを使うため、ベッド周りに影響を与えない。
【図面の簡単な説明】
【０００７】
【図１】  本考案の概要図
【符号の説明】
【０００８】  １．    点滴台
２．    薬液容器
３．    ガラス検出管
４．    センサー（無線発信器付け）
５．    ナースコールスイッチ（無線受信器付け）
【図１】
0003168733.tif 000003
【手続補正書】
【提出日】平成23年4月6日(2011.4.6)
【手続補正１】
【補正対象書類名】実用新案登録請求の範囲
【補正対象項目名】全文
【補正方法】変更
【補正の内容】
【実用新案登録請求の範囲】
【請求項１】
輸液チューブ端にあるガラス検出管に取り付けた発信器付き位相差式センサーにより、ガラス管内の液のレベル変化（液の有無）を検知し、ベッド近くの壁にあるナースコールシステム端末に検知情報を送信し、ナースセンターに自動で通知することを特徴とする点滴終了情報自動通知装置。
(57)【要約】      （修正有）【課題】医療用ブラシ本体に、発光体ファイバースコープ、患部洗浄用ノズルを設けることにより、患部が見え易く、作業に手間が掛かることなく、確実に異物を除去する医療用ブラシを提供する。【解決手段】軸本体２ａの先端にブラシ２ｂを設けてなる医療用ブラシ本体２の先端部に、発光体３と、ファイバースコープ４を設け、かつ患部洗浄用ノズル５を設ける。使用に当たっては、例えば、脳内の腫瘍を取り除く場合、患部に医療用ブラシ１を近づけると同時に発光体３にて患部を照らし、ファイバースコープ４にて除去物質（腫瘍）の位置をモニターにて確認し、必要に応じて患部洗浄用ノズル５より食塩水（生理水）を噴射しながらブラシ２ｂにて除去作業を行う。【選択図】図１
0003168732.tif 000002
【実用新案登録請求の範囲】
【請求項１】
軸本体の先端にブラシを設けてなる医療用ブラシ本体の先端部に、発光体を設けてなることを特徴とする医療用ブラシ。
【請求項２】
医療用ブラシ本体の先端部に、ファイバースコープを設けてなることを特徴とする請求項１記載の医療用ブラシ。
【請求項３】
医療用ブラシ本体の先端部に、患部洗浄用ノズルを設けてなることを特徴とする請求項１又は２記載の医療用ブラシ。
【考案の詳細な説明】
【技術分野】
【０００１】  本考案は、手術中における、特に脳内の異物を除去するための医療用ブラシに関するものである。
【背景技術】
【０００２】  脳の手術の一例として脳腫瘍の場合、脳腫瘍を除去する時、神経細胞・がん細胞・脳神経等が癒着していた場合において、従来は適当な筆（ブラシ）を使用している。【０００３】  また、別の従来技術としては適当なものはないが、例えば、ＥＭＲ材料を固定版に貼り付け、固定板ごとに２分間６０度Ｃ以上の固定液に浸し、軽く水洗し約２分間漂白して、さらに２分間水洗し水中にて筆を用いて粘膜表面の粘液を払い落として、染色し水中で実体顕微鏡によりｐｉｔ  ｐａｔｔｅｒｎを観察・診断し、切除断端の判定を１０数分以内に行えるようする。そうすることによって、１０数分以内に病変の広がりを面として捉えることができるものがある。（特許文献１参照）
【先行技術文献】
【特許文献１】  特開２００１−２２８１４４号  公報
【考案の概要】
【考案が解決しようとする課題】
【０００４】  上記前者が、一般的な手術ですが、発光体が近設していないため患部が見えにくく、また、ファイバースコープを近設していないため、作業に手間取ることがある。
さらに、患部洗浄用ノズルにより、確実に異物を除去することができない。【０００５】  上記後者の物は、本考案とは異なり、ＥＭＲ中に切除断端を判定する方法の時に使用されるもので、目的等が異なるものである。【０００６】  本考案は、上記問題点に鑑みなされたもので、医療用ブラシ本体に、発光体ファイバースコープ、患部洗浄用ノズルを設けることにより、患部が見え易く、作業に手間が掛かることなく、確実に異物を除去する医療用ブラシを提供することを目的とする。
【課題を解決するための手段】
【０００７】  本考案は、軸本体の先端にブラシを設けてなる医療用ブラシ本体の先端部に、発光体を設けてなること、医療用ブラシ本体の先端部に、ファイバースコープを設けてなること、医療用ブラシ本体の先端部に、患部洗浄用ノズルを設けてなること。
【考案の効果】
【０００８】１）、医療用のブラシ本体の先端部に発光体を設けることにより、患部が見えやすい。
２）、医療用のブラシ本体の先端部にファイバースコープを設けることにより患部の位置    が分かりやすい。
３）、医療用のブラシ本体の先端部に患部洗浄用ノズルを設けることにより確実に異物を    除去することができる。
【図面の簡単な説明】
【０００９】
【図１】  本考案の一実施例を示す医療用ブラシの正面図。
【図２】  本考案の一実施例を示す医療用ブラシの左側面図。
【図３】  本考案の一実施例を示す医療用ブラシの使用状態図。
【考案を実施するための形態】
【００１０】  １は、医療用ブラシである。
２は、軸本体２ａの先端に、動物の毛（例えばＰＶＴ）によるブラシ２ｂを、設けてなる医療用ブラシ本体である。
３は、上記医療用ブラシ本体２の先端部（ブラシ２ｂの後方）に設けてなる前部にレンズ３ａを設けたＬＥＤによる発光体で、この実施例の場合ＬＥＤを８個設けてある。
４は、上記医療用ブラシ本体２の先端部（発光体３の上方）に設けてなるファイバースコープである。
５は、上記医療用ブラシ本体２の先端部（ブラシ２ｂの後端付近）にも受けてなる患部洗浄用ノズルである。
【００１１】  なお、発光体３・ファイバースコープ４のケーブルＫ・Ｋ１は軸本体２ａ内に内設するのが望ましく、患部洗浄用ノズル５のチューブＴも同様である。
【００１２】  本考案の使用例について述べる。
例えば、脳内の腫瘍Ｓを取り除く場合、患部ＫＢに医療用ブラシ１を近づけると同時に発光体３にて患部ＫＢを照らし、ファイバースコープ４にて除去物質（腫瘍Ｓ）の位置をモニター（図示せず）にて確認し、必要に応じて患部洗浄用ノズル５より食塩水（生理水）Ｍを噴射しながらブラシ２ｂにて除去作業を行うものである。
【００１３】  なお、上記実施例において、ブラシ２ｂの大きさや形状、毛の種類等は必要に応じて決めるものとする。
また、患部洗浄用ノズル５から噴出させる液体も必要に応じて決めればよい。
さらに、軸本体２ａの材質等は、特に限定するものではない。
【符号の説明】
【００１４】１――――医療用ブラシ
２――――医療用ブラシ本体
２ａ―――軸本体
３――――発光体
３ａ―――レンズ
４――――ファイバースコープ
５――――患部洗浄用ノズル
ＫＢ―――患部
Ｓ――――腫瘍
Ｍ――――食塩水（生理水）
【図１】
0003168732.tif 000003
【図２】
0003168732.tif 000004
【図３】
0003168732.tif 000005
【手続補正書】
【提出日】平成23年3月28日(2011.3.28)
【手続補正１】
【補正対象書類名】実用新案登録請求の範囲
【補正対象項目名】全文
【補正方法】変更
【補正の内容】
【実用新案登録請求の範囲】
【請求項１】
軸本体の先端にブラシを設けてなる医療用ブラシ本体のブラシの後方に発光体を設けてなることを特徴とする医療用ブラシ。
【請求項２】
医療用ブラシ本体の先端部にある発光体の後方から延伸した、ファイバースコープを設けてなることを特徴とする請求項１記載の医療用ブラシ。
【請求項３】
医療用ブラシ本体の先端部にあるブラシの後端付近に、患部洗浄用ノズルを設けてなることを特徴とする請求項１又は２記載の医療用ブラシ。
(57)【要約】      （修正有）【課題】ハザードランプ前後４ヶ所に、赤色ランプ三角形のフリッカ装置を組み込み、誰が見ても事故車と判断し用心される分かりやすい車輌の緊急事故表示灯を提供する。【解決手段】車輌のハザードランプ前面のガラス部に、ＬＥＤ赤色発光ダイオードで三角型にした事故表示灯を張りつけ、非常時にスイッチ１つでＬＥＤ赤色発光ダイオードを点滅できるようにして車輌の緊急事故表示等を形成する。【選択図】図２
0003168724.tif 000002
【実用新案登録請求の範囲】
【請求項１】
車両のハザードランプに緊急事故・故障を知らせる赤色三角形のＥＬＢなどの赤色の発光ダイオードを、スイッチ一つで操作し安全に点滅させる装置。
【請求項２】
通常ハザードランプはある程度の安全表示の役をするが、発案者は以前国道１号線富士トンネル内でのエンジントラブルで非常に危険な経験をした事から、周囲に「自分が事故で極めて危険である」事を知らせる為には、赤色で且つ良く目立つよう点滅させる装置（フリッカ装置）であると考え考案したものである。
【請求項３】
発案者はエロクロリスエンジニアであるため、既に全自動のセキュリティー装置としてあらゆるセンサーを駆使し特許申請をして自動車メーカーにも相談したことがあるが、当時は法的な問題もありこの件についてはいつか世の中の為に役立つと確信していた。今の時代本当に安全を考えるなら何よりも分かりやすい簡単明瞭なもの、つまりスイッチ一つで操作が可能（手動でも自動でも可能）である。
【考案の詳細な説明】
【考案の詳細な説明】
【技術分野】
【０００１】本考案は車両の交通事故を如何に未然に防ぐかということで発案されたものであり、安全第一装置ではあると同時に車両の交通事故を未然に防ぐ事で環境破壊を最小限にし、昨今取りざたされているエコにも関連寄与する。
【背景技術】
【０００２】現在緊急時あるいは謝意の表示くらいに使用されているハザードランプは、上記の通り４車線もある高速道路、特にトンネル内では本当の意味の「私の車は異常であり事故発生しています」の役には立っていない。実際に死を目の前にした貴重な体験から幸いトンネル中央下り坂の為命は助かったが、現在のハザードランプは改善する事が絶対に必要と考える。
【考案が解決しようとする課題】
【０００３】車両の交通事故を少しでも未然に防ぐ為の努力は国家を挙げて今までなされてきているが、安全に行き止まりは無い。何よりも安全第一と考えるなら、今の普及してきたハザードランプ前後４ヶ所にこうした赤色ランプ三角形のフリッカ装置を組み込み、誰が見ても事故車と判断し用心される分かりやすいものが必要と考えられ、この先この発案は何千人もの交通事故を防ぐ考案と考えるなら今すぐにでも公安委員会で取り上げるか、昔のように法規云々と言っているのでは安全に進歩は無いと考える。当時私の特許申請に関してはあるメーカーでは約半年社内検討をして頂いた経験があるが、今回発案者が申請するのは最低限一番早く役に立つものとしてここに提案する。
【図面の簡単な説明】
【図１】はハザードランプ部に取り付けられた赤色デルタの事故表示灯で、点滅（フリッカ）させるなど周囲からの人目につきやすくさせる。
【図２】は事故表示する車両  前後ハザードランプ部４ヶ所で良いと考え、運転席にはいつでも使える（手動又は自動の）スイッチを設ける。
【図１】
0003168724.tif 000003
【図２】
0003168724.tif 000004
【手続補正書】
【提出日】平成23年4月1日(2011.4.1)
【手続補正１】
【補正対象書類名】実用新案登録請求の範囲
【補正対象項目名】全文
【補正方法】変更
【補正の内容】
【実用新案登録請求の範囲】
【請求項１】
車輌のハザードランプ前面のガラス部にＬＥＤ赤色発光ダイオードで三角型にした  事故表示灯を張りつけ  非常時にスイッチ１つでＬＥＤ赤色発光ダイオードを点滅できる事を特徴とする装置。
(57)【要約】      （修正有）【課題】スピードと、作動時間と、停止時間の調整ができる自動シャクリ機の電子機器コントローラー釣具を提供する。【解決手段】スピード調整ボリューム、作動時間調整ボリューム、停止時間調整ボリュームを設ける。【選択図】図１
0003168730.tif 000002
【実用新案登録請求の範囲】
【請求項１】
［考案の詳細な説明］
シャクリのスピードの調整をする。電子機器コントローラー釣具
【請求項２】
［考案の詳細な説明］
シャクリの作動時間の調整をする。電子機器コントローラー釣具
【請求項３】
［考案の詳細な説明］
シャクリの停止時間の調整をする。電子機器コントローラー釣具
【考案の詳細な説明】
【発明の詳細な説明】
この発明は、電子機器の組み合わせによりシャクリのスピードと、作動時間と、停止時間の調整をした物をひとつのはこに入れたものである。従来のシャクリ機にはスピードと、作動時間と、停止時間の調整がなく釣果が悪かった、ほん発明はその欠点を除く為、成されたものです。
【図面の簡単な説明】
【図１】本考案の斜視図である。
【符号の説明】（１）ワニグリップ電源プラス
（２）ワニグリップ電源マイナス
（３）タンシプラス
（４）タンシマイナス
（５）スピード調整ボリューム
（６）作動調整ボリューム
（７）停止調整ボリューム
【図１】
0003168730.tif 000003
【手続補正書】
【提出日】平成23年4月1日(2011.4.1)
【手続補正１】
【補正対象書類名】実用新案登録請求の範囲
【補正対象項目名】全文
【補正方法】変更
【補正の内容】
【実用新案登録請求の範囲】
【請求項１】
シャクリのスピード調整を可能とするスピード調整ボリュームをもうけたことを特徴とする自動シャクリ機の電子機器コントローラー釣具。
【請求項２】
シャクリの作動時間調整を可能とする作動時間調整ボリュームをもうけたことを特徴とする請求項１記載の自動シャクリ機の電子機器コントローラー釣具。
【請求項３】
シャクリの停止時間調整を可能とする停止時間調整ボリュームをもうけたことを特徴とする請求項１記載の自動シャクリ機の電子機器コントローラー釣具。